(57)【要約】【課題】水密に収納された電子機器を衝撃等から保護し、使用が容易でコンパクトな構成のタッチパネル式モニタを有する電子機器用の防水ケースを提供する。【解決手段】電子機器を収納保持し、電子機器のタッチパネル式モニタの操作面を介してタッチ操作可能としたブリスタケースと、ブリスタケースの外縁部を挟み込む溝を有する保持フレームとを備える電子機器用の防水ケースであって、ブリスタケースと保持フレームとの厚み方向のセンターの位置をずらすことによって、操作面を保持フレームから凹ませ、操作面と反対側のブリスタケースを保持フレームから突出させて、操作面を衝撃や傷つきから保護し、電子機器の側面にある釦をブリスタケースの外側から押圧操作を可能にすることにより、耐衝撃性に優れ、操作性が良好でコンパクトな構成の防水ケースが得られる。【選択図】図２
2014103469.tif 000002
【特許請求の範囲】
【請求項１】
タッチパネル式モニタを備えた第１の主面と、前記第１の主面に対向する第２の主面と、前記第１の主面と前記第２の主面とを結び少なくとも１つの押圧操作される操作釦を備えた側面とを有する電子機器に用いられる防水ケースにおいて、
一枚の透明プラスチックシートから形成され、折れ線部により二つ折可能に連接した重合面内に設けられた第１の保持部と第２の保持部と、前記第１の保持部と前記第２の保持部のそれぞれの周囲に輪郭が互いに重なる第１の外縁部と第２の外縁部とを備え、開放状態では前記電子機器が前記第１の保持部と前記第２の保持部に着脱自在に装着され、収納状態では前記電子機器を前記第１の保持部と前記第２の保持部との内面に保持するブリスタケースと、
前記ブリスタケースの外周を取り囲み、前記第１の外縁部と前記第２の外縁部を保持溝で挟み込むことにより前記ブリスタケース内の前記電子機器を水密に収納する保持フレームとを備え、
前記第１の保持部の外面は前記保持フレームの前記第１の保持部側の外面より凹んだ位置にあって、
収納された前記電子機器の前記タッチパネル式モニタの面に対向する前記第１の保持部にはタッチ操作面が設けられ、前記ブリスタケースの外側から前記タッチ操作面を介して前記タッチパネル式モニタをタッチ操作可能に構成されているとともに、
前記第２の保持部の外面は前記保持フレームの前記第２の保持部側の外面より突出した位置にあって、
前記操作釦に対向する前記第２の保持部には側面操作部が設けられ、前記ブリスタケースの外側から前記側面操作部を介して前記操作釦を押圧操作可能に構成されている
ことを特徴とする電子機器用の防水ケース。
【請求項２】
前記第１の外縁部と前記第２の外縁部の少なくとも一方の外縁部の内面側には連続的に突出した所定の高さの無端状の外縁膨出部を有し、前記保持フレームにより前記外縁膨出部と他方の外縁部の内面とが圧接されることにより、前記ブリスタケース内の前記電子機器を水密に収納するよう構成されている
ことを特徴とする請求項１記載の電子機器用の防水ケース。
【請求項３】
前記保持フレームの内面に位置する前記外縁部の少なくとも一方の外面には、前記保持フレームの内面と当接する所定の高さの突起が設けられている
ことを特徴とする請求項２記載の電子機器用の防水ケース。
【請求項４】
前記ブリスタケースは、メタクリル酸メチルとアクリル酸ブチルとのブロック共重合体からなる透明樹脂を射出成型することによって形成される
ことを特徴とする請求項１乃至３記載の電子機器用の防水ケース。
【請求項５】
前記保持フレームは開口端により開閉自在に構成され、前記開口端を閉じた状態でロックするロック部を有し、前記開口端を閉じたときに、前記開口端の両端それぞれの近傍に互いに貫通する第１の貫通穴が設けられていて、前記ブリスタケースの外縁部に互いに貫通する第２の貫通穴を備え、前記保持フレームの開口端を閉じたとき、前記第１の貫通穴と前記第２の貫通穴は互いに貫通する
ことを特徴とする請求項１乃至４記載の電子機器用の防水ケース。
【請求項６】
前記第１の保持部と前記第１の外縁部とは略同一平面からなり、前記第１の外縁部には前記無端状の外縁膨出部が設けられている
ことを特徴とする請求項１乃至５記載の電子機器用の防水ケース。
【発明の詳細な説明】
【技術分野】
【０００１】
本発明は電子機器用の防水ケースに関し、より詳細にはタッチパネル式モニタを有する電子機器用の防水ケースに関する。
【背景技術】
【０００２】
従来より、情報や撮影画像を表示するモニタに各種操作を行うためのタッチパネルを配したタッチパネル式モニタを備えた携帯電話やＰＤＡ（Ｐｅｒｓｏｎａｌ  Ｄｉｇｉｔａｌ  Ａｓｓｉｓｔａｎｔ：携帯情報端末）、デジタルカメラ、携帯用ゲーム機、携帯型音声再生機等の電子機器が提供されている。また近年、電子機器として、携帯電話にパソコンやＰＤＡの機能が備わったスマートフォンと呼ばれる携帯端末や、画面を直接触って操作するタブレット端末と呼ばれる薄い板状のコンピュータ端末が急速に普及している。
【０００３】
これらの電子機器に使用されるタッチパネルには、感圧式のものと、静電容量式のもの等ある。従来は、安価な感圧式のものが主流であったが、現在では、スマートフォン等において、静電容量式のものが、数多く採用されるようになってきている。
【０００４】
また、これらの電子機器では、簡易防水機能を有しているものも、多く提供されている。しかしながら、家庭内の風呂場での電子機器の使用や、アウトドアや海辺での使用では、水を被ったり、水没したりすることがある。また、電子機器を硬いものにぶつけたり落としたりして、衝撃等によりタッチパネルのガラスを割ったり電子機器の表面に擦り傷を付けたりすることがある。このようなことから電子機器を保護し、しかもコンパクトな形状の、防水ケースが望まれてきている。
【０００５】
従来のこれらの電子機器用の防水ケースとして、特許文献１にて開示されたものがある。この防水ケースは、剛性のある樹脂材料を用いたケース体の一部に可撓性の透明または光透過性のシート材を張ったものである。防水ケースに収容した電子機器のタッチパネル式
液晶モニタや操作部について、シート材の外側から使用することができる。また、ケース体によって、電子機器を衝撃等から保護することができる。
【０００６】
また、これらの電子機器用の防水ケースとして、特許文献２にて開示されたものがある。この防水ケースは、電子機器の形状に合わせてシリコンゴムで一体成型された保護カバーである。保護カバーの背面に開口部を有し、この開口部から電子機器を挿入し、保護カバーにより電子機器を全体的に覆い、次にこの開口部にキャップを嵌めて密閉することで水密な状態にする構成である。防水ケースに収用した電子機器の操作ボタンや液晶画面について、保護カバーの外側から使用することができる。また、防水ケースをコンパクトな形状とすることができる。
【先行技術文献】
【特許文献】
【０００７】
【特許文献１】特開２００６−２４２９９６号公報
【特許文献２】特開２００７−１５９７１６号公報
【発明の概要】
【発明が解決しようとする課題】
【０００８】
しかしながら、特許文献１に記載の技術では、シート材を張ったケース本体と蓋体等とから構成され、部品点数が多く複雑な構造となるという不都合があった。
また、電子機器を樹脂製のケース体の内部に保持する構成のため、防水ケースの外形が大きなものとなり、携帯性が悪くなるという不都合があった。
【０００９】
また、特許文献２に記載の技術では、使用時に電子機器全体をシリコンゴムの防水カバーで覆う構成であるため、衝撃等が加わった際には、防水カバーによって電子機器が十分に保護されないという不都合があった。
【００１０】
本発明の目的は、簡単でコンパクトな構成でありながら水密性に優れ、電子機器を衝撃等から保護し、使用が容易なタッチパネル式モニタを有する電子機器用の防水ケースを提供することにある。
【課題を解決するための手段】
【００１１】
本発明は、上記の課題を解決するために、以下の構成を採用した。
【００１２】
本発明は、タッチパネル式モニタを備えた第１の主面と、第１の主面に対向する第２の主面と、第１の主面と第２の主面とを結び少なくとも１つの押圧操作される操作釦を備えた側面とを有する電子機器に用いられる防水ケースに関する。
そして、一枚の透明プラスチックシートから形成され、折れ線部により二つ折可能に連接した重合面内に設けられた第１の保持部と第２の保持部と、第１の保持部と第２の保持部のそれぞれの周囲に輪郭が互いに重なる第１の外縁部と第２の外縁部とを備え、開放状態では電子機器が第１の保持部と第２の保持部に着脱自在に装着され、収納状態では電子機器を第１の保持部と第２の保持部との内面に保持するブリスタケースと、ブリスタケースの外周を取り囲み、第１の外縁部と第２の外縁部を保持溝で挟み込むことによりブリスタケース内の電子機器を水密に収納する保持フレームとを備え、第１の保持部の外面は保持フレームの第１の保持部側の外面より凹んだ位置にあって、収納された電子機器のタッチパネル式モニタの面に対向する第１の保持部にはタッチ操作面が設けられ、ブリスタケースの外側からタッチ操作面を介してタッチパネル式モニタをタッチ操作可能に構成されているとともに、第２の保持部の外面は保持フレームの第２の保持部側の外面より突出した位置にあって、操作釦に対向する第２の保持部には側面操作部が設けられ、ブリスタケースの外側から側面操作部を介して操作釦を押圧操作可能に構成されていることを特徴とする。
【００１３】
また、第１の外縁部と第２の外縁部の少なくとも一方の外縁部の内面側には連続的に突出した所定の高さの無端状の外縁膨出部を有し、保持フレームにより外縁膨出部と他方の外縁部の内面とが圧接されることにより、ブリスタケース内の電子機器を水密に収納するよう構成されていることを特徴とする。
【００１４】
また、保持フレームの内面に位置する外縁部の少なくとも一方の外面には、保持フレームの内面と当接する所定の高さの突起が設けられていることを特徴とする。
【００１５】
ブリスタケースは、メタクリル酸メチルとアクリル酸ブチルとのブロック共重合体からなる透明樹脂を射出成型することによって形成されることを特徴とする。
【００１６】
また、保持フレームは開口端により開閉自在に構成され、開口端を閉じた状態でロックするロック部を有し、開口端を閉じたときに、開口端の両端それぞれの近傍に互いに貫通する第１の貫通穴が設けられていて、ブリスタケースの外縁部に互いに貫通する第２の貫通穴を備え、保持フレームの開口端を閉じたとき、第１の貫通穴と第２の貫通穴は互いに貫通することを特徴とする。
【００１７】
そして、第１の保持部と第１の外縁部とは略同一平面からなり、第１の外縁部には無端状の外縁膨出部が設けられていることを特徴とする。
【発明の効果】
【００１８】
本発明によれば、上述の特徴を有することから、下記に示すことが可能となる。
【００１９】
タッチパネル式モニタを備えた第１の主面と、第１の主面に対向する第２の主面と、第１の主面と第２の主面とを結び少なくとも１つの押圧操作される操作釦を備えた側面とを有する電子機器に用いられる防水ケースにおいて、一枚の透明プラスチックシートから形成され、折れ線部により二つ折可能に連接した重合面内に設けられた第１の保持部と第２の保持部と、第１の保持部と第２の保持部のそれぞれの周囲に輪郭が互いに重なる第１の外縁部と第２の外縁部とを備え、開放状態では電子機器が第１の保持部と第２の保持部に着脱自在に装着され、収納状態では電子機器を第１の保持部と第２の保持部との内面に保持するブリスタケースと、ブリスタケースの外周を取り囲み、第１の外縁部と第２の外縁部を保持溝で挟み込むことによりブリスタケース内の電子機器を水密に収納する保持フレームとを備え、第１の保持部の外面は保持フレームの第１の保持部側の外面より凹んだ位置にあって、収納された電子機器のタッチパネル式モニタの面に対向する第１の保持部にはタッチ操作面が設けられ、ブリスタケースの外側からタッチ操作面を介してタッチパネル式モニタをタッチ操作可能に構成されているとともに、第２の保持部の外面は保持フレームの第２の保持部側の外面より突出した位置にあって、操作釦に対向する第２の保持部には側面操作部が設けられ、ブリスタケースの外側から側面操作部を介して操作釦を押圧操作可能に構成されているので、簡単でコンパクトな構成でありながら、水密性に優れたものとなる。また、電子機器を衝撃から保護して、ブリスタケースの操作面を介してモニタの視認性良く、タッチ操作を快適に行うことができる。更に、ブリスタケースを保持フレームに対し、厚み方向のセンター位置をずらした配置されることになり、タッチパネル式モニタを保持する第１の保持部は、保持フレームより凹んだ位置にあるので、タッチパネルのガラスに衝撃が直接かかることを防ぎ、また、タッチパネル式モニタを覆う部分のブリスタケースが擦り傷等で傷ついたりして、タッチパネル式モニタが見にくくなるのを防止している。また、第２の保持部の外面を保持フレームから膨出させることにより、側面操作部を設けて、電子機器側面部の操作釦をブリスタケースの外面から側面操作部を介して押圧操作することができる。
【００２０】
また、第１の外縁部と第２の外縁部の少なくとも一方の外縁部の内面側には連続的に突出した所定の高さの無端状の外縁膨出部を有し、保持フレームにより外縁膨出部と他方の外縁部の内面とが圧接されることにより、ブリスタケース内の電子機器を水密に収納するよう構成されているので、極めて簡単な構成で安価に水密構造を実現できる。
【００２１】
また、保持フレームの内面に位置する外縁部の少なくとも一方の外面には、保持フレームの内面と当接する所定の高さの突起が設けられているので、保持フレームの内面と外縁部の外面との間隔を突起の高さにより所定の間隔にして、一方の外縁部の外縁膨出部と他方の外縁部の内面との最適の圧接を実現させて、水密性を高めることができる。
【００２２】
また、ブリスタケースは、メタクリル酸メチルとアクリル酸ブチルとのブロック共重合体からなる透明樹脂を射出成型するによって形成されるので、透明かつ柔軟な材料でブリスタケースを形成することができて、視認性良くタッチパネルを操作可能とするとともに、一方の外縁部の膨出部と他方の外縁部の内面とを適度な弾性と柔軟性により圧接し、水密性を高めることができる。また、射出成型をすることにより、ブリスタケースの一部の肉厚を厚くしたり薄くしたりすることが容易となる。
【００２３】
また、保持フレームは開口端により開閉自在に構成され、開口端を閉じた状態でロックするロック部を有し、開口端を閉じたときに、開口端の両端それぞれの近傍に互いに貫通する第１の貫通穴が設けられていて、ブリスタケースの外縁部に互いに貫通する第２の貫通穴を備え、保持フレームの開口端を閉じたとき、第１の貫通穴と第２の貫通穴は互いに貫通するので、電子機器を収納したブリスタケースを保持フレームにスムーズに着脱することが可能となり、ロック部において開閉端を確実に閉じた状態で保持し、この第１の貫通穴に首等から提げるための紐状のものや、リング状の留め具を差し込んで使用すれば、紐状のものや留め具によって、使用時に開口端が開いて保持フレームのロックが外れるということを防ぐとともに、紐状のものや留め具で防水ケースを確実に保持することができる。
【００２４】
そして、第１の保持部と第１の外縁部とは略同一平面からなり、第１の外縁部には無端状の外縁膨出部が設けられているいるので、より構造が簡単になるとともに、一般に一枚の平面の薄い樹脂板は曲がったり捩れたりし易いが、外延部の外縁膨出部が設けられているので、樹脂板の曲がりや捩れを防止することができる。
【図面の簡単な説明】
【００２５】
【図１】本発明の一実施形態に係る防水ケースに電子機器を装着する前の状態を示す斜視図
【図２】本発明の一実施形態に係る防水ケースに電子機器を装着している途中の状態を示す斜視図
【図３】本発明の一実施形態に係る防水ケースに電子機器を装着した状態を示す斜視図
【図４】本発明の一実施形態に係る防水ケースに電子機器を装着した状態を示す正面図
【発明を実施するための形態】
【００２６】
以下、図面を参照して、本発明の実施形態について、詳細に説明する。
【００２７】
図１乃至図４を参照して、本発明の一実施形態について説明する。本実施形態では、防水ケース１に収容すべき電子機器は携帯端末１００（スマートフォン）である。
図１は、携帯端末１００を防水ケース１に収容する前の状態における、防水ケース１を構成するブリスタケース２、保持フレーム３、及び携帯端末１００の前方から見た斜視図を示す。図２は、ブリスタケース２に収納した携帯端末１００を、保持フレーム３に取り付けている途中の状況における、前方から見た斜視図を示す。
【００２８】
図３（ａ）は、携帯端末１００を防水ケース１に収容した状態（収納状態）における後方から見た斜視図を示し、図３（ｂ）はブリスタケース２の側面ボタン保護構造におけるＡ−Ａ線矢視方向の断面図、図３（ｃ）は同様にＢ−Ｂ線矢視方向の断面図を示す。
【００２９】
図４（ａ）は携帯端末１００を防水ケース１に収容した状態における正面図を示し、図４（ｂ）は保持フレーム３に保持されたブリスタケース２の外縁部と側面釦保護構造におけるＣ−Ｃ線矢視方向の断面図、図４（ｃ）はブリスタケース２の上面ボタン保護構造におけるＤ−Ｄ線矢視方向の断面図、図４（ｄ）はブリスタケース２のスピーカ保護構造におけるＥ−Ｅ線矢視方向の断面図を示す。
【００３０】
まず、この防水ケース１に収納する携帯端末１００について説明する。
図１に示すように、本実施形態では、防水ケース１に収容すべき携帯端末１００はスマートフォンであり、外装を構成するケース１０１を有している。なお、本明細書の実施形態の記載において、携帯端末１００に内蔵されたカメラにより撮影した映像等をモニタ画面を横長にして見ている状態で、前後方向、上下方向、左右方向を示し、モニタ画面のある面の方向を前（フロント）方向、その逆の方向を後（リア）方向と呼ぶことにする。
【００３１】
図１に示すように、ケース１０１は、横長の略矩形で扁平な形状をなし、フロント面１０１ａ、その対面である図示されないリア面１０１ｂ、およびフロント面１０１ａとリア面１０１ｂとを結ぶ上側面１０１ｃ、下側面１０１ｄ、左側面１０１ｅ、および右側面１０１ｆを備えている。
フロント面１０１ａの中央部には矩形のタッチパネル式モニタ１０２が設けられ、右側中央にはタッチパネル式モニタ１０２の表示等を押圧操作するホーム操作ボタン１０３、左側中央には通話や音声再生用のスピーカ１０４が設けられている。
【００３２】
タッチパネル式モニタ１０２の表面は、フロント面１０１ａの表面と同一平面上にある。このタッチパネル式モニタ１０２のタッチパネルは静電容量式のものである。
下側面１０１ｄの左側にはスピーカ１０４の音量を調節する押圧式の２つの音量調節ボタン１０５、右側にはプッシュツートーク通話での音声送信時に押す押圧式のトークボタン１０６、左側面１０１ｅの上側には電源やスリープ機能を切換制御する押圧式の電源・スリープボタン１０７、右側面１０１ｆには図示されない通話用マイク、リア面１０１ｂの左側の上部には撮影カメラ用レンズ１０８がそれぞれ設けられている。
【００３３】
この携帯端末１００では、タッチパネル式モニタ１０２をタッチ操作して、スピーカ１０４と図示されない通話用マイクとを用いて携帯電話として通話したりすることができる。タッチパネル式モニタ１０２に映像を映し出し、スピーカ１０４で音声を再生することにより、ビデオやテレビを見たりすることができる。また、タッチパネル式モニタ１０２を操作することにより、さまざまな情報を検索等したりすることができる。
【００３４】
次に、防水ケース１について説明する。図１に示すように、防水ケース１はブリスタケース２と保持フレーム３とを備えている。ブリスタケース２は１枚の透明プラスチックシートから形成され、長手方向を連接したフロントケース４とリアケース５とが折れ線部６を折り目として二つ折可能に構成されている。
【００３５】
図１に示すように、ブリスタケース２は膨出部を有する透明プラスチックのケースである。すなわち、リアケース５の中央部には、リア方向に膨出するリア収納部５ａ（第２の保持部）が設けられ、リア収納部５ａの外縁にはリア外縁部５ｂ（第２の外縁部）が形成されている。フロントケース４は１枚の略平面からなり、中央部のリア収納部５ａに対向する部分がフロント収納部４ａ（第１の保持部）（二点鎖線で囲まれた部分）、その外側の部分がフロント外縁部５ｂ（第１の外縁部）（二点鎖線の外側の部分）を構成している。フロント外縁部５ｂとリア外縁部５ｂとの外形は略同一の形状であって、二つ折りに折りたたんだときにお互いに輪郭が重なり合う。
【００３６】
図１に示すように、フロント外縁部４ｂとリア外縁部５ｂの右側中央部には、略半円形状に突出する互いに重なるフロント突出部（突出部）４ｃとリア突出部（突出部）５ｃが形成されている。この略半円形状の略中央にはそれぞれフロント貫通穴（貫通穴）４ｄとリア貫通穴（貫通穴）５ｄが同芯同径に形成されていて、ブリスタケース２を折りたたんだときには互いに貫通する。
【００３７】
図１および図２に示すように、ホーム操作ボタン１０３に対向するフロント収納部４ａの部分にはホーム操作ボタン収納部４ｅが形成されている。図４（ｃ）に示すように、ブリスタケース２の外側からホーム操作ボタン収納部４ｅを指先Ｆで押圧すると、ホーム操作ボタン収納部４ｅが変形し、内面側に凸状に形成された部分によりホーム操作ボタン１０３が押圧される。
【００３８】
図１および図４（ｄ）に示すように、スピーカ１０４に対向するフロント収納部４ａの部分には、スピーカ保護部４ｆが設けられている。スピーカ保護部４ｆは、外側に膨出した形状をなし、スピーカ保護部穴４ｇを有している。スピーカ保護部穴４ｇの内面には空気は通すが水は通さない通気シート４ｈが貼付されていて、スピーカ保護部穴４ｇからの水の浸入を防ぎながら、音声を通過させている。
【００３９】
図１および図３（ａ）に示すように、リア収納部５ａは携帯端末１００のリア面１０１ｂを保持する保持面と、この保持面とリア外縁部５ｂの内縁とを結ぶ側面とから構成されている。
リア収納部５ａの右側の側面には、図示されない通話用マイクに対向する通話用マイク保護部５ｅが設けられ、スピーカ保護部４ｈと同様に膨出部の穴に通気シートが貼付された構成を有していて、水の浸入を防ぎながら、音声を通過させている。
【００４０】
図１に示すように、ブリスタケース２のフロント収納部４ａとリア収納部５ａの左右端中央には、それぞれ２つの嵌合凸部４ｉ、４ｉと嵌合凹部５ｆ、５ｆが内面向き方向に設けられている。収納状態では、互いに対向する嵌合凸部４ｉ、４ｉと嵌合凹部５ｆ、５ｆがそれぞれ嵌合することにより、フロントケース４とリアケース５とは、相互に所定の位置に位置決めがされる。
【００４１】
図１に示すように、音量調節ボタン１０５に対向するリア収納部５ａには音量調節ボタン収納部（側面操作部）５ｇが設けられている。図３（ｂ）に示すように、音量調節ボタン収納部５ｇは外側に膨出して、内面に音量調節ボタン１０５を収納し、音量調節ボタン収納部５ｇを介して外側から指先Ｆで音量調節ボタン１０５を押圧操作することができる。なお、音量調節ボタン収納部５ｇの内面の幅が音量調節ボタン１０５の幅より大きくなるように構成されているのは、携帯端末１００と同じような大きさで、音量調節ボタンの位置が多少異なる他の電子機器にも本実施形態の防水ケース１で対応可能とするためのものである。
【００４２】
図１に示すように、トークボタン１０６に対向するリア収納部５ａにトークボタン収納部（側面操作部）５ｈが設けられている。図３（ｃ）および図４（ｂ）に示すように、トークボタン収納部５ｈはトークボタン膨出部５ｉとその中央にリブ状に設けられたトークボタンリブ状部５ｊとを有している。ブリスタケース２の外側から指先Ｆでトークボタン膨出部５ｉを押圧すると、トークボタンリブ状部５ｊにより確実にトークボタン１０６を押圧操作することができる。
【００４３】
図１に示すように、電源・スリープボタン１０７に対向する電源・スリープボタン収納部（側面操作部）５ｋについても、トークボタン収納部５ｈと同様の膨出部とリブ部とを有していて、ブリスタケース２の外側から電源・スリープボタン１０７を押圧操作することができる。
【００４４】
図１および図４（ｂ）に示すように、フロント外縁部４ｂには、フロント外縁部４ｂの内縁端（図１の二点鎖線の部分）から所定間隔外側の位置に沿って、内面側に略Ｕ字型に膨出した無端状の外縁膨出部４ｊ（外縁膨出部）が設けられている。この外縁膨出部４ｊの防水機能に関する説明は後述する。
【００４５】
図４（ａ）に示すように、タッチパネル式モニタ１０２に対向する平面形状のフロント収納部４ａの部分（二点鎖線で囲まれた部分）はタッチパネル操作面（タッチ操作面）４ｋを構成する。図４（ｂ）に示すように、タッチパネル操作面４ｋを介してフロントケース４の外側から指先Ｆにより、タッチパネル式モニタ１０２のタッチ操作が可能となる。
【００４６】
図１および図３（ａ）に示すように、リア収納部５ａの左上部の撮影カメラ用レンズ１０８に対向する部分にはレンズカバー面５ｍが構成され、その周囲に環状の突起であるレンズカバー面ガード５ｎが設けられている。また、リア収納部５ａのレンズカバー面５ｍが設けられていない他の３つの隅の近傍には脚部５ｐが設けられている。レンズカバー面５ｍや脚部５ｐ等の保護機能等に関する説明は後述する。
【００４７】
図１に示すように、折れ線部６の中央には、長四角の抜き穴６ａが複数設けられ、抜き穴６ａを結びミシン目６ｂが折り曲げ線に沿って設けられている。抜き穴６ａとミシン目６ｂによって折り曲げやすくなっているため、折れ線部６は所定位置で確実に折り曲げが可能となる。
【００４８】
本実施形態のブリスタケース２は、肉厚が薄い部分と、厚い部分とを有している。フロントケース４と、リアケース５のリア外延部５ｂとは肉厚が薄く、リア収納部５ａは肉厚が厚く構成されている。ただし、リア収納部５ａにおいても、図３（ｂ）、（ｃ）や図４（ｂ）に示すように、音量調節ボタン収納部５ｇ、トークボタン収納部５ｈ、電源・スリープボタン収納部５ｋは肉厚が薄く構成される。また、図３（ａ）に示すように、レンズカバー面ガード５ｎと脚部５ｐは、肉厚を更に厚くして外面側に突出している。
【００４９】
ブリスタケース２を構成する透明プラスチックシートの肉厚の薄い部分の厚さは０．１５〜０．５ｍｍであることが好ましく、より好ましい厚さは０．２〜０．４ｍｍとなる。厚くなればタッチパネル操作面４ｋでのタッチパネル式モニタ１０２のタッチ操作の感度が悪くなり操作しにくくなるし、薄くなれば強度が下がり携帯端末１００を保持することが不安定となるからである。また、フロント外縁部４ｂとリア外縁部５ｂは肉厚を薄いものとすることにより密着時に撓み易くし、防水性を高めている。
【００５０】
ブリスタケース２を構成する透明プラスチックシートの肉厚の厚い部分の厚さは０．５５〜０．８ｍｍであり、より好ましい厚さは０．６〜０．７である。リア収納部５ａの肉厚を厚くしたのは、携帯端末１００をしっかりと保持するためである。また、音量調節ボタン収納部５ｇ、トークボタン収納部５ｈ、電源・スリープボタン収納部５ｋの部分の肉厚を薄くしたのは、肉厚に差をつけて薄い部分を撓みやすくして、押圧操作を容易にできるようにしたものである。
【００５１】
次に、保持フレーム３について説明する。図１に示すように、保持フレーム３は上部フレーム７、下部フレーム８、及びヒンジ９を備えている。上部フレーム７と下部フレーム８はポリカーボ樹脂の硬質樹脂で形成されている。また、本実施形態では、上部フレーム７と下部フレーム８は略上下対称の構造をしている。
【００５２】
図１および図４（ｂ）に示すように、上部フレーム７と下部フレーム８とは開口部が内側方向を向いた略Ｕの字状の断面形状をなしていて、内面には、連続した上部フレーム保持溝（保持溝）７ａ、下部フレーム保持溝（保持溝）８ａが設けられている。保持フレーム３を閉じた状態では、上部フレーム保持溝７ａと下部フレーム保持溝８ａとは、保持フレーム３の内面において連続した無端の溝を構成する。
【００５３】
図１に示すように、上部フレーム７と下部フレーム８はヒンジ９により互いに回動自在に構成され、その先端の開口端には上部フレームロック（ロック部）７ｂ、下部フレームロック８ｂ（ロック部）が互いに係合可能に設けられている。
【００５４】
図１に示すように、上部フレームロック７ｂと下部フレームロック８ｂの右方向に、上部フレーム突出部７ｃと下部フレーム突出部８ｃが突出している。上部フレーム突出部７ｃと下部フレーム突出部８ｃの内側中央には上部フレーム貫通穴７ｄと下部フレーム貫通穴８ｄが設けられている。
【００５５】
防水ケース１に携帯端末１００をどのように水密に収容するかについてを説明する前に、この実施形態で用いられるブリスタケース２の材料と製造方法について説明する。ブリスタケース２は、メタクリル酸メチル（ＭＭＡ）とアクリル酸ブチル（ＢＡ）のブロック共重合体からなる透明なアクリル系熱可塑性エラストマを、射出成型して製造されている。
【００５６】
このブロック共重合体は、ＭＭＡの持つ透明性と耐候性、ＢＡの持つ柔軟性等の双方の特徴を併せ持つものであり、透明かつ柔軟な材料であって、プラスチックとゴムの中間のような特徴を持っている。ブリスタケース２がこのような特徴を持つ材料からなるため、携帯端末１００をブリスタケース２内に収納保持し、タッチパネル操作面４ｋを介してタッチ操作するとともに、後述する水密構造を得ることが容易に可能となる。また、射出成型することにより、肉厚の厚い部分と薄い部分とを、自在に形成することが可能となる。
【００５７】
また、このブロック共重合体は、被塗装性が良いので、例えば銀イオンを含有した抗菌塗料を塗装して抗菌処理すれば、本実施形態の防水ケース１を、携帯端末１００用の抗菌ケースとしても使用することができる。
【００５８】
それでは、水密構造について、図１、図２および図４を用いて、説明する。
まず、図１に示す携帯端末１００のリアの部分をブリスタケース２のリア収納部５ａに収納し、フロントケース４を折れ線部６を中心に二つ折りして回動させると、携帯端末１００のフロント面１０１ａの部分がフロント収納部４ａの内面に当接され対向する。すなわち、フロント収納部４ａとリア収納部５ａにより、携帯端末１００は収納保持される。ここで、フロント外縁部４ｂとリア外縁部５ｂとは、外縁膨出部４ｊが対向するリア外縁部５ｂ内面の平面部と当接して、互いに重なり合う。
【００５９】
次に、保持フレーム３の上部フレーム７と下部フレーム８の開口端を互いに開く方向に回動させ、まず上部フレーム７にブリスタケース２の上部を、または下部フレーム８にブリスタケース２の下部を、収納する。図４（ｂ）に示すように、例えばまずブリスタケース２を下部フレーム８に収納した場合には、下部フレーム保持溝８ａには傾斜部８ｅ、８ｅを有しているので、フロント外縁部４ｂとリア外縁部５ｂは外縁膨出部４ｆを圧接させながら、下部フレーム保持溝８ａにスムーズに収納される。
【００６０】
図２に示すように、この状態で下部フレーム８、または上部フレーム７を閉じる方向に回動させると、ブリスタケース２の外縁部がすべて保持フレーム３の溝部８ａに収納され、上部フレームロック７ｂと下部フレームロック８ｂとが互いに係合しロックする。ロックした状態では、フロント外縁部４ｂとリア外縁部５ｂのそれぞれの全周の内面には、外縁膨出部４ｆが対向するリア外縁部５ｂ内面の平面部と圧接しているので水密構造が形成され、収納された携帯端末１００は水等から保護される。
【００６１】
図４（ｂ）に示すように、保持フレーム３の内面に位置するフロント外縁部４ｂとリア外縁部５ｂとの外面には、所定の高さを有するフロント突起部４ｍとリア突起部５ｒが設けられている。フロント突起部４ｍとリア突起部５ｒとは、それぞれフロント外縁部４ｂとリア外縁部５ｂとの全周にわたって所定の高さで形成され、その一端が上部フレーム保持溝７ａと下部フレーム保持溝８ａの内面と当接して、フロント外縁部４ｂとリア外縁部５ｂと保持フレーム３の内面との隙間間隔を保持する役目をする。ここで、フロント突起部４ｍとリア突起部５ｒは、隙間間隔を保持すればよいので、連続的に設ける必要はなく、所定間隔置きに断続的に設ける等してもよい。
【００６２】
本実施形態では、フロント突起部４ｍとリア突起部５ｒを設けたが、いずれか一方のみを設けるようにしてもよい。また、フロント突起部４ｍとリア突起部５ｒは外縁膨出部４ｆの近傍に設けたが、保持フレーム３の内面に位置すれば、外縁膨出部４ｆと離れた位置に設けて、外縁膨出部４ｆとの間を撓ませて弾力的に保持するようにしてもよい。
【００６３】
図２に示すように、ブリスタケース２の互いに重なるフロント突出部４ｃとリア突出部５ｃは、上部フレーム突出部７ｃによりリア側が覆われ、下部フレーム突出部８ｃにより、フロント側が覆われる。このとき、下部フレーム貫通穴８ｄ、フロント貫通穴４ｄ、リア貫通穴５ｄと上部フレーム貫通穴７ｄは同芯同径で互いに貫通する位置関係にある。
【００６４】
図４（ｂ）に示すように、携帯端末１００のフロント面１０１ａを保持するフロント収納部４ａの外面が保持フレーム３のフロント側の外面よりも凹んだ位置に構成される。このような構成により、例えば、手が滑って防水ケース１のフロント面側を床や道路等の上に滑らすようにしてしまったときでも、保持フレーム３より凹んでいるフロント収納部４ａのタッチパネル操作面４ｋが擦れたりして傷が付くのを防止され、タッチパネル式モニタ１０２の視認性が確保される。また、タッチパネル操作面４ｋに対向する携帯端末１００のタッチパネル式モニタ１０２に直接衝撃がかかることを防止し、タッチパネルのガラスが割れること等を防止している。
【００６５】
また、図４（ｂ）に示すように、本実施形態では、フロントケース４は段差のない略平面形状をしているが、フロントケース４の中央部に内面方向であるリア方向への膨出部を設けてもよい。リアケース５と同様にフロント収納部４ａを保持面と側面とから構成して、この保持面をフロント外縁部４ｂからリア側に所定の段差分突出させる。また、リアケース５のリア収納部５ａも、この所定の段差分、リア方向に更に突出させる。このようにすると、リア収納部５ａは更に深くなるので、携帯端末１００を収納したときには、この所定の段差分凹んだ位置に、携帯端末１００のフロント面１０１ａが位置している。そして、この凹みにフロントケース４のフロント収納部４がぴったりと勘合して、携帯端末１００を収納保持する。
【００６６】
すなわち、フロントケース４のフロント収納部４が、リアケース５のリア収納部５ａの内面と嵌合しているので、フロントケース４とリアケース５の相互の位置決めとすることができる。また、リア収納部５ａを保持フレーム３のリア側の外面よりも更に突出させることができるので、リア収納部５ａの側面に設けられたボタン収納部を、大きく露出させることが可能となり、押圧操作をよりやり易くすることができる。
【００６７】
また、フロントケース４の中央部にフロントケース４の外面方向であるフロント方向への膨出部を設けてもよい。リアケース５と同様にフロント収納部４ａを保持面と側面とから構成して、この保持面の外面を保持フレーム３のフロント側の外面よりも凹んだ位置にする。このようにすれば、傷付きを防止する効果を保ちながら、膨出させた分だけ本実施形態よりも防水ケース１の全体としての厚さを薄くすることができる。
【００６８】
また、図４（ｂ）に示すように、携帯端末１００のリア面１０１ｂを保持するリア収納部５ａの保持面の外面が保持フレーム３のリア側の外面よりも突出した位置に構成される。このような構成により、携帯端末１００の側面部に設けられた操作ボタンに対向する位置にボタン収納部を設けることが可能となり、ブリスタケース２の外面からボタン収納部と介して押圧操作することができる。
【００６９】
すなわち、図３（ｂ）、（ｃ）や図４（ｂ）に示すように、ブリスタケース２に音量調節ボタン収納部５ｇ、トークボタン収納部５ｈ、電源・スリープボタン収納部５ｋを設けて、携帯端末１００の対応するそれぞれの側面部に位置する操作ボタンを押圧操作可能としている。なお、ボタン収納部を設けるには、携帯端末１００の厚さ方向の位置が、保持フレーム３のリア側の外面から半分以上突出していることが好ましいが、いずれにせよ、ボタン収納部が設けられる程度に保持フレーム３から突出していれば十分である。
【００７０】
また、本実施形態では、ブリスタケース２に透明プラスチックシートを用いることから、防水ケース１をきわめて薄く、コンパクトなものとすることが可能となる。図４（ｂ）に示すように、防水ケース１に収納された状態での携帯端末１００の厚さの増加はわずかなものであり、もともとの携帯端末１００の携帯性を損なうことがなく使用することができる。
【００７１】
また、図４（ｂ）に示すように、ブリスタケース２を介して、保持フレーム３は間接的に携帯端末１００を保持していることになるので、防水ケース１は高い耐衝撃性を得ている。ここで、衝撃は防水ケース１の外縁にある保持フレーム３にかかりやすい。保持フレーム３に衝撃がかかった場合でも、ブリスタケース２は適度な剛性と柔軟性を有しているので、衝撃はブリスタケース２で緩和され、携帯端末１００は衝撃から保護される。
【００７２】
すなわち、図４（ｂ）に示すように、携帯端末１００の側面１０１ｃに対向する保持フレーム３の内側の部分と、ブリスタケース２に収納された携帯端末１００の側面１０１ｃとは、ブリスタケース２のプラスチックシートの厚さ分を超えて離間しており保護隙間Ｇを有している。携帯端末１００とブリスタケース２とを繋ぐ保護隙間Ｇの部分にあるブリスタケース２によって、携帯端末１００は保持フレーム３の内側の空間に離間して保持されている。このような構成により、保持フレーム３に衝撃がかかったときには、直接衝撃が携帯端末１００に伝わらずに、保護隙間Ｇの部分にあるブリスタケース２が緩衝材の役目をして衝撃を吸収するようにして、収納する携帯端末１００を保護している。
【００７３】
また、ブリスタケース２と保持フレーム３とを組み合わせて防水ケース１を構成したことから、高い防水性を得ることが可能となる。すなわち、図４（ｂ）に示すように、フロント外縁部４ｂとリア外縁部５ｂは、外縁膨出部４ｆと外縁膨出部４ｆに対向するリア外縁部５ｂ内面の平面部とが圧接することにより、簡単な構成で確実な水密構造が形成される。
【００７４】
ところで、アウトドア等での使用の際、防水ケース１に入れた携帯端末１００に誤って衝撃等を与えたりすると、保持フレーム３のロックが外れ、開いてブリスタケース２から携帯端末１００が飛び出して紛失してしまう可能性がある。そこで、本実施形態では、上部フレームロック７ｂ、下部フレームロック８ｂの近傍であって、開口端の両端それぞれの近傍に、上部フレーム貫通穴７ｄと下部フレーム貫通穴８ｄを設けている。
【００７５】
すなわち、図３（ａ）に示すように、相互に貫通する上部フレーム貫通穴７ｄと下部フレーム貫通穴８ｄとに、例えば首から提げた紐Ｓに付けた吊り下げホルダＨや、または紐Ｓを直接通すことができる。このようにすれば、吊り下げホルダＨ等により保持フレーム３が開くことを防止可能となり、携帯端末１００が防水ケース１から飛び出すことを防ぐので、より安心してアウトドア等で携帯端末１００を使用することができる。
【００７６】
また、前述したように、上部フレーム貫通穴７ｄと下部フレーム貫通穴８ｄとは、ブリスタケース２のフロント貫通穴４ｄとリア貫通穴５ｄとも貫通しているので、吊り下げホルダＨ等によりブリスタケース２も直接保持され、吊り下げる強度を更に上げることができる。
【００７７】
また、図４（ｃ）に示すように、リアケース５にはレンズカバー面５ｉが設けられているが、透明プラスチックシートの視認性が良好なので、レンズカバー面５ｉをリアケース５と一体に形成することができる。ここで、防水ケース１を載置等したときにレンズカバー面５ｉの部分が擦れて傷つき、カメラ撮影時の視認性が悪くならないよう、レンズカバー面５ｉの周囲にレンズカバー面ガード５ｊを設けている。
【００７８】
また、レンズカバー面ガード５ｊと３つの脚部５ｋとの外面方向の突出高さは同一であり、防水ケース１を載置したときの脚の役目をしして、載置されている面とリアケース５の外面とを所定の間隔になるように保ち、リアケース５の外面が擦れて傷が付いたりすることを防止している。、
【００７９】
また、本実施形態のブリスタケース２の材質にはＭＭＡとＢＡとのブロック共重合体を用いたが、これに限定されず、一般的にブリスタパックに使用されるＰＥＴ（ポリエチレン・テレフタレート）や、硬質塩化ビニール樹脂、植物由来プラスチック等の透明プラスチック樹脂を用いることもできる。
【００８０】
また、本実施形態のブリスタケース２の製造では、ＭＭＡとＢＡとのブロック共重合体を射出成型したが、これに限定されず、このブロック共重合体を押出成型したシート材を用いて、バキュームフォーム等の従来からある製造装置を用いて成型してもよい。
【００８１】
また、ＰＥＴ樹脂のシート材を用いれば、商品の梱包や展示に用いられるいわゆるブリスタパックと同様の工程で製造が可能である。例えば、プラスチックシートをバキュームフォーム等の従来からある製造装置を用いて成型し、より大量に安価に製造することができる。また、いわゆるブリスタパックは中身の商品を見せたい場合に用いられるものであるので、タッチパネル式モニタ１０２の画面の視認性は良好なものとなる。
【００８２】
また、本実施形態では、ブリスタケース２はフロントケース４とリアケース５とを連接させ、折れ線部６で二つ折可能とすることにより、携帯端末１００を防水ケース１にスムーズに収納することができる。ここで、フロントケース４とリアケース５とを連接せず、別々の２つの部分に分ける構成としてもよい。その場合、例えば互いに嵌合する凹凸の段差を付けたり、ボス等を設ければ、位置決めガイドとなり、よりスムーズに収納することができる。
【００８３】
また、水密構造において、本実施形態では、フロント外縁部４ｂに設けられた外縁膨出部４ｆが対向するリア外縁部５ｂ内面の平面部と当接するようにしたが、これに限定されない。フロント外縁部４ｂとリア外縁部５ｂのいずれにも、内面側に膨出した無端状の外縁膨出部を単数、又は二重、三重に取り囲むように設けてもよいし、断面もＵ字状でなく凸字上、凹字状等に形成してもよいし、これらの外縁膨出部のそれぞれのピーク位置を一致させたり、ずらして配置してもよいし、互いに嵌合するようにしてもよい。すなわち、水密構造の形状は、さまざまに変更可能である。
【００８４】
また、フロント外縁部４ｂとリア外縁部５ｂとの間に無端状のパッキンを配置するように構成してもよい。その場合、フロント外縁部４ｂとリア外縁部５ｂの一方にパッキン溝５ｅ設け、パッキンを貼り付けて固定するようにしてもよい。
【００８５】
また、本実施形態では、保持フレーム３の材質にポリカーボ樹脂を用いて、高い強度を得ている。しかし、これに限定されず、例えばＡＢＳ（アクリルニトル・ブタジエン・スチレン）樹脂やポリプロピレン樹脂等の硬質樹脂を用いてもよい。
【００８６】
また、ヒンジ９を保持フレーム３の上下方向の中央に設けることにより、図２に示すように、ブリスタケース２の上部と下部とを順番に装着することが可能としている。しかし、これに限定されず、ヒンジ９を、例えば保持フレーム３のコーナー部に設けてもよいし、複数の部分に設けてもよい。
【００８７】
また、保持フレーム３の材質にエラストマ等の可撓性のあるものを用いてもよい。この場合、保持フレーム３そのものが撓むので、ヒンジ９を不要とすることもできる。また、保持フレーム３に弾性があるので、フロント外縁部４ｂとリア外縁部５ｂをより強く密着することにより、より防水性を高めることができる。また、耐衝撃性も向上する。
【００８８】
以上のように、本発明は、二つ折可能な透明プラスチックシートにより形成され電子機器を収納部に収納保持し、電子機器のタッチパネル式モニタを操作面を介してタッチ操作可能としたブリスタケースと、ブリスタケースの外縁部を挟み込む溝を有する保持フレームとを備える電子機器用の防水ケースであって、ブリスタケースと保持フレームとの厚み方向のセンターの位置をずらすことによって、操作面を保持フレームから凹ませ、操作面と反対側のブリスタケースを保持フレームから突出させて、操作面を衝撃や傷つきから保護し、電子機器の側面にあるボタンをブリスタケースの外側から押圧操作できるようにして、耐衝撃性に優れ、操作性が良好でコンパクトな構成の防水ケースが得られるようにしたものである。
【００８９】
なお、本発明の防水ケースは、前述しかつ図面に示した実施の形態に限定されるものではなく、その要旨を逸脱しない範囲内で種々の変形実施が可能である。例えば、上述した実施の形態においては、電子機器として携帯端末（スマートフォン）に適用した例について説明しているが、これに限定されず、携帯電話、携帯情報端末、デジタルカメラ、携帯ゲーム機、携帯型音声再生機、タブレット端末その他の電子機器に適用できるものである。
【符号の説明】
【００９０】
Ｆ  指先
Ｇ  保護隙間
Ｓ  紐
Ｈ  吊り下げホルダ
１  防水ケース
２  ブリスタケース
３  保持フレーム
４  フロントケース
４ａ  フロント収納部
４ｂ  フロント外縁部
４ｃ  フロント突出部
４ｄ  フロント貫通穴
４ｅ  ホーム操作ボタン収納部
４ｆ  スピーカ保護部
４ｇ  スピーカ保護部穴
４ｈ  通気シート
４ｉ  嵌合凸部
４ｊ  外縁膨出部
４ｋ  タッチパネル操作面
４ｍ  フロント突起部
５  リアケース
５ａ  リア収納部
５ｂ  リア外縁部
５ｃ  リア突出部
５ｄ  リア貫通穴
５ｅ  通話用マイク保護部
５ｆ  嵌合凹部
５ｇ  音量調節ボタン収納部
５ｈ  トークボタン収納部
５ｉ  トークボタン膨出部
５ｊ  トークボタンリブ状部
５ｋ  電源・スリープボタン収納部
５ｍ  レンズカバー面
５ｎ  レンズカバー面ガード
５ｐ  脚部
５ｒ  リア突起部
６  折れ線部
６ａ  抜き穴
６ｂ  ミシン目
７  上部フレーム
７ａ  上部フレーム保持溝
７ｂ  上部フレームロック
７ｃ  上部フレーム突出部
７ｄ  上部フレーム貫通穴
８  下部フレーム
８ａ  下部フレーム保持溝
８ｂ  下部フレームロック
８ｃ  下部フレーム突出部
８ｄ  下部フレーム貫通穴
９  ヒンジ
１００  携帯端末
１０１  ケース
１０２  タッチパネル式モニタ
１０３  ホーム操作ボタン
１０４  スピーカ
１０５  音量調節ボタン
１０６  トークボタン
１０７  電源・スリープボタン
１０８  撮影カメラ用レンズ
【図１】
2014103469.tif 000003
【図２】
2014103469.tif 000004
【図３】
2014103469.tif 000005
【図４】
2014103469.tif 000006
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
タッチパネル式モニタを備えた第１の主面と、前記第１の主面に対向する第２の主面と、前記第１の主面と前記第２の主面とを結び少なくとも１つの押圧操作される操作釦を備えた側面とを有する電子機器に用いられる防水ケースにおいて、
透明プラスチックシートから形成された第１の保持部と第２の保持部と、前記第１の保持部と前記第２の保持部のそれぞれの周囲に輪郭が互いに重なる第１の外縁部と第２の外縁部とを備え、開放状態では前記電子機器が前記第１の保持部と前記第２の保持部に着脱自在に装着され、収納状態では前記電子機器を前記第１の保持部と前記第２の保持部との内面に保持するブリスタケースと、
前記ブリスタケースの外周を取り囲み、前記第１の外縁部と前記第２の外縁部を保持溝で挟み込むことにより前記ブリスタケース内の前記電子機器を水密に収納する保持フレームとを備え、
前記第１の保持部の外面は前記保持フレームの前記第１の保持部側の外面より凹んだ位置にあって、
収納された前記電子機器の前記タッチパネル式モニタの面に対向する前記第１の保持部にはタッチ操作面が設けられ、前記ブリスタケースの外側から前記タッチ操作面を介して前記タッチパネル式モニタをタッチ操作可能に構成されているとともに、
前記第２の保持部の外面は前記保持フレームの前記第２の保持部側の外面より突出した位置にあって、
前記操作釦に対向する前記第２の保持部には側面操作部が設けられ、前記ブリスタケースの外側から前記側面操作部を介して前記操作釦を押圧操作可能に構成されている
ことを特徴とする電子機器用の防水ケース。
【請求項２】
前記第２の収納部は、前記電子機器の第２の主面を保持する第２の保持面と、前記第２の保持面と前記第２の外縁部とを結ぶ第２の側面とから構成され、
前記第１の収納部は、前記第２の収納部と同様に、第１の保持面と、第１の側面とから構成され、
前記第１の保持面を前記第１の外縁部から前記第２の主面方向に所定の段差分突出させ、
前記第２の保持面を前記第２の外縁部から前記第２の主面方向に前記電子機器の厚み分に加え前記所定の段差分突出させ、
前記第２の収納部の内面に前記電子機器を収納したときに生ずる凹みに前記第１の収納部を嵌合することにより相互の位置決めが可能に構成されている
ことを特徴とする請求項１記載の電子機器用の防水ケース。
【請求項３】
前記第１の外縁部と前記第２の外縁部の少なくとも一方の外縁部の内面側には連続的に突出した所定の高さの無端状の外縁膨出部を有し、前記保持フレームにより前記外縁膨出部と他方の外縁部の内面とが圧接されることにより、前記ブリスタケース内の前記電子機器を水密に収納するよう構成されている
ことを特徴とする請求項１又は２記載の電子機器用の防水ケース。
【請求項４】
前記保持フレームの内面に位置する前記外縁部の少なくとも一方の外面には、前記保持フレームの内面と当接する所定の高さの突起が設けられている
ことを特徴とする請求項３記載の電子機器用の防水ケース。
【請求項５】
前記ブリスタケースは、メタクリル酸メチルとアクリル酸ブチルとのブロック共重合体からなる透明樹脂を射出成型することによって形成される
ことを特徴とする請求項１乃至４記載の電子機器用の防水ケース。
【請求項６】
前記保持フレームは開口端により開閉自在に構成され、前記開口端を閉じた状態でロックするロック部を有し、前記開口端を閉じたときに、前記開口端の両端それぞれの近傍に互いに貫通する第１の貫通穴が設けられていて、前記ブリスタケースの外縁部に互いに貫通する第２の貫通穴を備え、前記保持フレームの開口端を閉じたとき、前記第１の貫通穴と前記第２の貫通穴は互いに貫通する
ことを特徴とする請求項１乃至５記載の電子機器用の防水ケース。
【請求項７】
前記第１の保持部と前記第１の外縁部とは略同一平面からなり、前記第１の外縁部には前記無端状の外縁膨出部が設けられている
ことを特徴とする請求項１又は請求項３乃至６記載の電子機器用の防水ケース。
【手続補正２】
【補正対象書類名】明細書
【補正対象項目名】０００５
【補正方法】変更
【補正の内容】
【０００５】
従来のこれらの電子機器用の防水ケースとして、特許文献１にて開示されたものがある。この防水ケースは、剛性のある樹脂材料を用いたケース体の一部に可撓性の透明または光透過性のシート材を張ったものである。防水ケースに収容した電子機器のタッチパネル式液晶モニタや操作部について、シート材の外側から使用することができる。また、ケース体によって、電子機器を衝撃等から保護することができる。
【手続補正３】
【補正対象書類名】明細書
【補正対象項目名】００１２
【補正方法】変更
【補正の内容】
【００１２】
本発明は、タッチパネル式モニタを備えた第１の主面と、第１の主面に対向する第２の主面と、第１の主面と第２の主面とを結び少なくとも１つの押圧操作される操作釦を備えた側面とを有する電子機器に用いられる防水ケースに関する。
そして、透明プラスチックシートから形成された第１の保持部と第２の保持部と、第１の保持部と第２の保持部のそれぞれの周囲に輪郭が互いに重なる第１の外縁部と第２の外縁部とを備え、開放状態では電子機器が第１の保持部と第２の保持部に着脱自在に装着され、収納状態では電子機器を第１の保持部と第２の保持部との内面に保持するブリスタケースと、ブリスタケースの外周を取り囲み、第１の外縁部と第２の外縁部を保持溝で挟み込むことによりブリスタケース内の電子機器を水密に収納する保持フレームとを備え、第１の保持部の外面は保持フレームの第１の保持部側の外面より凹んだ位置にあって、収納された電子機器のタッチパネル式モニタの面に対向する第１の保持部にはタッチ操作面が設けられ、ブリスタケースの外側からタッチ操作面を介してタッチパネル式モニタをタッチ操作可能に構成されているとともに、第２の保持部の外面は保持フレームの第２の保持部側の外面より突出した位置にあって、操作釦に対向する第２の保持部には側面操作部が設けられ、ブリスタケースの外側から側面操作部を介して操作釦を押圧操作可能に構成されていることを特徴とする。
【手続補正４】
【補正対象書類名】明細書
【補正対象項目名】００１９
【補正方法】変更
【補正の内容】
【００１９】
タッチパネル式モニタを備えた第１の主面と、第１の主面に対向する第２の主面と、第１の主面と第２の主面とを結び少なくとも１つの押圧操作される操作釦を備えた側面とを有する電子機器に用いられる防水ケースにおいて、透明プラスチックシートから形成された第１の保持部と第２の保持部と、第１の保持部と第２の保持部のそれぞれの周囲に輪郭が互いに重なる第１の外縁部と第２の外縁部とを備え、開放状態では電子機器が第１の保持部と第２の保持部に着脱自在に装着され、収納状態では電子機器を第１の保持部と第２の保持部との内面に保持するブリスタケースと、ブリスタケースの外周を取り囲み、第１の外縁部と第２の外縁部を保持溝で挟み込むことによりブリスタケース内の電子機器を水密に収納する保持フレームとを備え、第１の保持部の外面は保持フレームの第１の保持部側の外面より凹んだ位置にあって、収納された電子機器のタッチパネル式モニタの面に対向する第１の保持部にはタッチ操作面が設けられ、ブリスタケースの外側からタッチ操作面を介してタッチパネル式モニタをタッチ操作可能に構成されているとともに、第２の保持部の外面は保持フレームの第２の保持部側の外面より突出した位置にあって、操作釦に対向する第２の保持部には側面操作部が設けられ、ブリスタケースの外側から側面操作部を介して操作釦を押圧操作可能に構成されているので、簡単でコンパクトな構成でありながら、水密性に優れたものとなる。また、電子機器を衝撃から保護して、ブリスタケースの操作面を介してモニタの視認性良く、タッチ操作を快適に行うことができる。更に、ブリスタケースを保持フレームに対し、厚み方向のセンター位置をずらした配置されることになり、タッチパネル式モニタを保持する第１の保持部は、保持フレームより凹んだ位置にあるので、タッチパネルのガラスに衝撃が直接かかることを防ぎ、また、タッチパネル式モニタを覆う部分のブリスタケースが擦り傷等で傷ついたりして、タッチパネル式モニタが見にくくなるのを防止している。また、第２の保持部の外面を保持フレームから膨出させることにより、側面操作部を設けて、電子機器側面部の操作釦をブリスタケースの外面から側面操作部を介して押圧操作することができる。
【手続補正５】
【補正対象書類名】明細書
【補正対象項目名】００６５
【補正方法】変更
【補正の内容】
【００６５】
また、図４（ｂ）に示すように、本実施形態では、フロントケース４は段差のない略平面形状をしているが、フロントケース４の中央部に内面方向であるリア方向への膨出部を設けてもよい。リアケース５と同様にフロント収納部４ａを保持面と側面とから構成して、この保持面をフロント外縁部４ｂからリア側に所定の段差分突出させる。また、リアケース５のリア収納部５ａも、この所定の段差分、リア方向に更に突出させる。このようにすると、リア収納部５ａは更に深くなるので、携帯端末１００を収納したときには、この所定の段差分凹んだ位置に、携帯端末１００のフロント面１０１ａが位置している。そして、この凹みにフロントケース４のフロント収納部４がぴったりと嵌合して、携帯端末１００を収納保持する。